(57)【要約】【課題】  制御線により送信される音声信号にノイズが生じることを防止しつつ、サイズを小さくし、コストを低減できる複合ケーブルを提供すること。【解決手段】  第２の複合ケーブル７０は、電力を送電する第１の電源線３２と、制御線３３、及び、制御線３３を内側に配置した、導電性材料から形成された管状の第２の遮蔽部材７６を備える制御線ユニット７２と、第１の電源線３２及び制御線ユニット７２を内側に配置した、絶縁材料から形成された管状の第２のシース７５と、を備える。【選択図】図３
2018063751.tif 000002
【特許請求の範囲】
【請求項１】
電力を送電する電源線と、
制御線、及び、前記制御線を内側に配置した、導電性材料から形成された管状の遮蔽部材を具備する制御線ユニットと、
前記電源線及び前記制御線ユニットを内側に配置した、絶縁材料から形成された管状のシースと、
を具備することを特徴とする複合ケーブル。
【請求項２】
前記電源線は、当該電源線が送電する対象となる装置の複数台に対応する本数が設けられ、
前記制御線ユニットは、前記装置の前記複数台に対応する本数が設けられる
ことを特徴とする請求項１に記載の複合ケーブル。
【請求項３】
前記装置の台数は２台であり、
前記電源線の本数は、４本であり、
前記制御線ユニットの本数は、２本である
ことを特徴とする請求項２に記載の複合ケーブル。
【請求項４】
前記制御線ユニットは、導電性材料で形成された導線をさらに具備する
ことを特徴とする請求項１に記載の複合ケーブル。
【請求項５】
前記導線は、前記遮蔽部材に電気的に接続されている
ことを特徴とする請求項４に記載の複合ケーブル。
【請求項６】
線状に形成されたテンションメンバと、
電力を送電する電源線と、
制御線、導電性材料から形成された導線、並びに、前記制御線及び前記導線を内側に配置した、導電性材料から形成された管状の遮蔽部材を具備する制御線ユニットと、
光ファイバ線と、
前記テンションメンバ、前記電源線、前記制御線ユニット、及び、前記光ファイバ線を内側に配置した、絶縁材料から形成された管状のシースと、
を具備することを特徴とするテレビカメラ用光複合ケーブル。
【請求項７】
前記電源線は、当該電源線が送電する対象となるテレビカメラの複数台に対応する本数が設けられ、
前記制御線ユニットは、前記テレビカメラの前記複数台に対応する本数が設けられる
ことを特徴とする請求項６に記載のテレビカメラ用光複合ケーブル。
【発明の詳細な説明】
【技術分野】
【０００１】
本発明は、電源線、制御線及び光ファイバ線を有する複合ケーブル、並びに、テレビカメラ用光複合ケーブルに関する。
【背景技術】
【０００２】
テレビカメラに接続される各種線を１つにまとめた複合ケーブルが知られている。この複合ケーブルは、例えば、当該複合ケーブルに高い引っ張り強度を与える線状のテンションメンバ、テレビカメラに電力を送電する電源線、テレビカメラのスイッチがオフ状態である所謂スタンバイ・インカムの状態においてテレビカメラを操作するカメラマンと制御室との間での指示等の音声信号を送信する制御線、テレビカメラのスイッチがオンの状態において映像情報の信号、カメラを制御する為の信号、及びテレビカメラを操作するカメラマンと制御室との間での指示等の音声信号等を送信する光ファイバ、並びに、ケーブルの最外郭部を形成して内側に上記各種の線を配置する、絶縁性の材料で形成された管状のシースを有している。
【０００３】
また、複合ケーブルの外部に存在する電磁波等の外乱に起因して、制御線が送信する音声信号にノイズが混入することを防止する為に、シースの内側に遮蔽部材を設ける技術が知られている。遮蔽部材は、導電性材料から管状に形成されており、上述の各種の線を内側に配置している。（例えば、特許文献１参照。）。
【０００４】
このように構成された複合ケーブルは、その用途として、テレビカメラに直接接続されて用いられる用途や、競技場等に設けられた中継用のパッチ盤及び端子盤間に敷設される等、固定配線として用いられる用途がある。
【０００５】
テレビカメラに直接接続されて用いられる用途では、複合ケーブルは、テレビカメラの移動に伴って移動及び屈曲する必要がある為、テレビカメラが設置される床上や地面上に露出して配置されており、固定されない。この為、複合ケーブルは、テレビカメラの周囲にいる人により踏まれる可能性がある。または、競技場に設置されたテレビカメラに直接接続された複合ケーブルは、スパイクシューズを履いた競技者によって踏まれる可能性もある。
【０００６】
この為、テレビカメラ用の複合ケーブルは、踏まれる等して入力された外力により断線することを防止する為に、及び、頻繁な屈曲動作による破損を防止する為に、遮蔽部材に高い強度を持たせることが知られている。遮蔽部材は、例えば、編組線から形成されることにより、強い強度を有している。
【先行技術文献】
【特許文献】
【０００７】
【特許文献１】特開平４−２２３００８号公報
【発明の概要】
【発明が解決しようとする課題】
【０００８】
上述した、管状に形成されて内側に各種の線を配置した遮蔽部材を有する複合ケーブルには、以下の問題があった。すなわち、遮蔽部材は、その内側に、電源線、制御線、及び、光ファイバを配置する大きさを有する必要がある為、当該遮蔽部材の形成に必要な材料の量が多くなる。この為、複合ケーブルは、そのコストが高くなる。特に、高い強度を持たせるために遮蔽部材を編組線により形成する場合では、複合ケーブルのサイズが大きくなり、その製造コストも高くなる。
【０００９】
さらに、固定配線の用途では、人により踏まれること及び頻繁な屈曲動作が生じない為、高い強度は不要であるにもかかわらず、上述のように高い強度を有する複合ケーブルが用いられることにより、複合ケーブルのサイズが必要以上に大きくなり、当該固定配線に係るコストも高くなる。
【００１０】
そこで、本発明は、制御線により送信される音声信号にノイズが生じることを防止しつつ、サイズを小さくし、コストを低減できる複合ケーブル及びテレビカメラ用光複合ケーブルを提供することを目的としている。
【課題を解決するための手段】
【００１１】
本発明の一態様として、複合ケーブルは、電力を送電する電源線と、制御線、及び、前記制御線を内側に配置した、導電性材料から形成された管状の遮蔽部材を具備する制御線ユニットと、前記電源線及び前記制御線ユニットを内側に配置した、絶縁材料から形成された管状のシースと、を備える。
【００１２】
本発明の一態様として、テレビカメラ用光複合ケーブルは、線状に形成されたテンションメンバと、電力を送電する電源線と、制御線、導電性材料から形成された導線、並びに、前記制御線及び前記導線を内側に配置した、導電性材料から形成された管状の遮蔽部材を具備する制御線ユニットと、光ファイバ線と、前記テンションメンバ、前記電源線、前記制御線ユニット、及び、前記光ファイバ線を内側に配置した、絶縁材料から形成された管状のシースと、を備える。
【発明の効果】
【００１３】
本発明によれば、制御線により送信される音声信号にノイズが生じることを防止しつつ、サイズを小さくし、コストを低減できる複合ケーブル及びテレビカメラ用光複合ケーブルを提供することが可能となる。
【図面の簡単な説明】
【００１４】
【図１】本発明の一実施形態に係る複合ケーブル及びテレビカメラ用光複合ケーブルを有する放送システムを示す概略図。
【図２】同放送システムの第１の複合ケーブルを示す断面図。
【図３】同放送システムの第２の複合ケーブルを示す断面図。
【図４】同第２の複合ケーブルの一部を示す斜視図。
【図５】同放送システムの第３の複合ケーブルを示す断面図。
【図６】同第３の複合ケーブルの一部を示す斜視図。
【発明を実施するための形態】
【００１５】
本発明の一実施形態に係る複合ケーブル及びテレビカメラケーブル用複合ケーブルを、図１乃至６を用いて説明する。
【００１６】
図１は、本発明の複合ケーブル及びテレビカメラ用光複合ケーブルを有する放送システム１０を示す概略図である。図２は、放送システム１０が有する第１の複合ケーブル３０を示す断面図である。
【００１７】
図３は、放送システム１０が有する第２の複合ケーブル７０を示す断面図である。第２の複合ケーブル７０は、本発明の複合ケーブル及びテレビカメラ用光複合ケーブルの一例である。図４は、第２の複合ケーブル７０の一部を示す斜視図である。図５は、第３の複合ケーブル８０を示す断面図である。第３の複合ケーブル８０は、本発明の複合ケーブル及びテレビカメラ用光複合ケーブルの一例である。図６は、第３の複合ケーブル８０の一部を示す斜視図である。
【００１８】
［放送システム１０の説明］  
図１に示すように、放送システム１０は、テレビカメラ（対象となる装置）２０により撮影し、かつ、テレビカメラ２０により撮影した映像を収集部の一例である中継車９０に送信するシステムである。この放送システム１０は、一例として、サッカー場５の周囲に敷設されている。なお、テレビカメラ２０は、複合ケーブルにより電力が送電される対象となる装置の一例である。放送システム１０では、テレビカメラ２０により撮影された映像が、中継システム４０を介して、中継車９０に送信される。また、中継車９０は、中継システム４０を介して、テレビカメラ２０を制御する。
【００１９】
放送システム１０は、具体的には、複数のテレビカメラ２０、テレビカメラ２０に接続可能に形成された第１の複合ケーブル３０、第１の複合ケーブル３０によりテレビカメラ２０が接続可能に形成された中継システム４０、及び、第１の複合ケーブル３０により中継システム４０に接続可能に形成された中継車９０を有している。
【００２０】
このように、放送システム１０は、第１の複合ケーブル３０及び中継システム４０により、テレビカメラ２０及び中継車９０間が接続される。
【００２１】
［テレビカメラ２０の説明］  
テレビカメラ２０は、第１の複合ケーブル３０が接続可能に形成されている。テレビカメラ２０は、例えば複数台用いられている。本実施形態では、テレビカメラ２０は、一例として４台用いられている。テレビカメラ２０は、それぞれ、サッカー場５の外側に設置されている。テレビカメラ２０は、例えば移動可能な台に設置されており、移動可能に構成されている。なお、テレビカメラ２０の台数は、複数台に限定されるものではなく、１台であってもよい。
【００２２】
［第１の複合ケーブル３０の説明］  
第１の複合ケーブル３０は、テレビカメラ２０に対して着脱可能に形成されており、１台のテレビカメラ２０に対して１本接続されている。第１の複合ケーブル３０は、１台のテレビカメラ２０の制御信号、及び、１台のテレビカメラ２０により撮影された映像の送信を可能に形成されている。
【００２３】
第１の複合ケーブル３０は、具体的には、図２に示すように、第１のテンションメンバ３１、４本の第１の電源線３２、２本の制御線３３、２本の光ファイバ線３４、これら各種の線を内側に配置する、管状に形成された第１の押さえ巻き部３５、第１の押さえ巻き部３５を内側に配置する、管状に形成された第１の遮蔽部材３６、及び、第１の遮蔽部材３６を内側に配置する、管状に形成された第１のシース３７を有している。
【００２４】
第１のテンションメンバ３１は、第１の複合ケーブル３０に所定の引っ張り強度を与えることが可能に形成されている。第１の複合ケーブル３０は、その敷設時に、すなわち、テレビカメラ２０及び中継システム４０に接続される際、及び、中継車９０及び中継システム４０接続される際に、引っ張られる。第１のテンションメンバ３１は、敷設作業時に作用する引っ張りに対して、第１の複合ケーブル３０が断線することを防止可能な強度を有している。第１のテンションメンバ３１は、心線３１ａ、及び、心線３１ａを覆う被覆部３１ｂを有している。心線３１ａは、上述の引っ張り強度を有している。被覆部３１ｂは、周囲に配置された線に傷をつけることがないように、例えば、樹脂材料から形成されている。
【００２５】
第１の電源線３２は、テレビカメラ２０に電力を送電可能に形成されている。２本の第１の電源線３２は、負極用である。残りの２本の第１の電源線３２は、正極用である。第１の電源線３２は、導電性材料から形成された心線３２ａ、及び、心線３２ａを覆う被覆部３２ｂを有している。被覆部３２ｂは、絶縁性の材料から形成されている。第１の電源線３２の外径は、例えば、第１のテンションメンバ３１の外径よりも小さい。
【００２６】
負極用の一方の第１の電源線３２の一端部及び負極用の他方の第１の電源線３２の一端部は、互いに電気的に接続されている。また、負極用の一方の第１の電源線３２の他端部及び負極用の他方の第１の電源線３２の他端部は、互いに電気的に接続されている。具体的には、心線３２ａどうしが互いに接続されている。
【００２７】
同様に、正極用の、一方の第１の電源線３２の一端部及び他方の第１の電源線３２の一端部は、互いに電気的に接続されている。また、正極用の、一方の第１の電源線３２の他端部及び他方の第１の電源線３２の他端部は、互いに電気的に接続されている。
【００２８】
制御線３３は、テレビカメラ２０のスイッチがオフ状態である所謂スタンバイ・インカムの状態において、テレビカメラ２０を操作するカメラマンとのやり取りの音声を電気信号化した音声信号が通る線である。制御線３３は、本実施形態では、中継車９０等の制御室で作業をする人及びカメラマンの間で行われる音声によるやり取りを電気信号化した音声信号を送信する。また、制御線３３は、テレビカメラ２０と中継車９０とが正常に接続されているかをチェックする信号を送信可能に形成されている。第１の複合ケーブル３０の制御線３３及び中継システム４０の第２の複合ケーブル７０の制御線３３、または、第１の複合ケーブル３０の制御線３３及び中継システム４０の第３の複合ケーブル８０の制御線３３により、テレビカメラ２０及び中継車９０間で上述の接続をチェックする信号が送信される。
【００２９】
制御線３３は、音声を電気信号化した音声信号を送信する為、正極用の１本及び負極用の１本の合計２本用いられている。制御線３３は、導電性材料から形成された心線３３ａ、及び、心線３３ａを覆う被覆部３３ｂを有している。被覆部３３ｂは、絶縁性の材料から形成されている。
【００３０】
制御線３３の外径は、第１のテンションメンバ３１の外径よりも小さい。さらに、本実施形態では、一例として、制御線３３の外径は、第１の電源線３２の外径よりも小さい。
【００３１】
光ファイバ線３４は、テレビカメラ２０のスイッチがオンである状態において、テレビカメラ２０からの信号を送信し、または、テレビカメラ２０への信号を送信可能に形成されている。本実施形態では、光ファイバ線３４は、例えば、テレビカメラ２０の動作を制御する制御信号をテレビカメラ２０に送信可能に、テレビカメラ２０が撮影した映像情報を送信可能に、かつ、カメラマンと中継車９０との間の音声のやり取りを光信号化した音声信号を送信可能に形成されている。なお、テレビカメラ２０のスイッチがオンである状態とは、テレビカメラ２０で撮影が行われている状態である。
【００３２】
本実施形態では、第１の複合ケーブル３０は、制御信号をテレビカメラ２０に送信し、かつ、テレビカメラ２０からの制御信号を送信可能に形成されている。また、第１の複合ケーブル３０は、テレビカメラ２０が撮影した映像の情報を中継システム４０に送信可能に、かつ、中継システム４０を介してテレビカメラ２０に映像情報を送信可能に形成されている。また、第１の複合ケーブル３０は、中継システム４０を介して、テレビカメラ２０側及び中継車９０間で、音声信号を送信可能に形成されている。
【００３３】
この為、第１の複合ケーブル３０は、２本の光ファイバ線３４を有している。一方の光ファイバ線３４は、テレビカメラ２０から制御信号、映像情報、及び音声を送信する。他方の光ファイバ線３４は、テレビカメラ２０へ制御信号、映像情報、及び音声信号を送信する。
【００３４】
光ファイバ線３４は、その周囲を被覆部３４ｂで被覆されている。被覆部３４ｂの外径は、第１のテンションメンバ３１の外径よりも小さい。さらに、本実施形態では、一例として、被覆部３４ｂの外径は、第１の電源線３２の外径よりも小さい。
【００３５】
ここで、第１の押さえ巻き部３５の説明の前に、電源線３２、制御線３３、及び、光ファイバ線３４の配置について説明する。４本の第１の電源線３２、２本の制御線３３、及び、２本の光ファイバ線３４は、第１のテンションメンバ３１の周囲に配置されており、第１のテンションメンバ３１を中心として撚られている。４本の第１の電源線３２、２本の制御線３３、及び、２本の光ファイバ線３４は、第１のテンションメンバ３１の周囲に、第１の複合ケーブル３０の断面を円形に近づけることが可能となるように配置されている。
【００３６】
具体的には、第１のテンションメンバ３１の周囲に配置される線のうち外径が比較的大きくなる電源線を、正極用に２本、及び、負極用に２本とすることにより合計４本とし、これら４本の第１の電源線３２を第１のテンションメンバ３１の軸線回りに等間隔離間して配置している。
【００３７】
なお、４本の第１の電源線３２は、第１のテンションメンバ３１の軸線回りに正確に９０度間隔に配置されていなくてもよい。略９０度であってもよい。２本の制御線３３、及び、２本の光ファイバ線３４は、周方向に隣り合う一対の第１の電源線３２間に、１つずつ配置されている。
【００３８】
このように、テンションメンバを除いた他の線の断面よりも大きな断面を有する電源線を４本とすることにより、第１の押さえ巻き部３５は、図２に示す断面においては、４つの電源線に接することとなる。この為、第１の複合ケーブル３０の断面を、円に近い形状とすることができる。また、各種線が第１のテンションメンバ３１を中心として撚られることによっても、第１の押さえ巻き部３５の断面形状を円に近くすることができるので、第１の複合ケーブル３０の断面を円に近くすることができる。
【００３９】
第１の押さえ巻き部３５の説明に戻る。第１の押さえ巻き部３５は、例えば、帯状の紙材から形成されている。第１の押さえ巻き部３５は、上述のように第１のテンションメンバ３１の周囲に撚られた、第１の電源線３２、制御線３３、及び、光ファイバ線３４の周囲に、帯状の紙材が巻き付けられることにより、形成される。
【００４０】
第１の遮蔽部材３６は、第１の複合ケーブル３０の外部に存在する電磁波等による外乱によって制御線３３により送信される制御信号にノイズが生じることを防止可能に、導電性の材料から形成されている。また、第１の遮蔽部材３６は、例えば人に踏まれるなどして入力される外力に対して、内側に配置された各種の線が断線することを防止可能に形成されている。
【００４１】
第１の遮蔽部材３６は、例えば、導電性材料から形成された編組線により形成されることにより、ノイズの発生防止作用及び所定の強度を有する。この編組線の材料は、例えば、軟銅である。そして、第１の遮蔽部材３６には、例えばすずめっきが施されている。
【００４２】
第１のシース３７は、絶縁材料から形成されており、第１の遮蔽部材３６の外側に被覆されている。
【００４３】
［中継システム４０の説明］  
各中継システム４０は、図１に示すように、サッカー場５の周囲に敷設されている。中継システム４０は、複数のテレビカメラ２０及び中継車９０間を中継可能に構成されている。中継システム４０は、例えば、最大で６台のテレビカメラ２０及び中継車９０間を中継可能に構成されている。本実施形態では、中継システム４０は、２つ用いられている。
【００４４】
中継システム４０は、具体的には、２つの端子盤５０、パッチ盤６０、端子盤５０及びパッチ盤６０に接続された、１台のテレビカメラ２０の送受信用の第２の複合ケーブル７０、並びに、端子盤５０及びパッチ盤６０に接続された、２台のテレビカメラ２０の送受信用の第３の複合ケーブル８０を有している。
【００４５】
［端子盤５０の説明］  
端子盤５０は、第１の複合ケーブル３０が、例えば複数接続可能に形成されている。具体的には、端子盤５０は、第１の複合ケーブル３０のプラグコネクタが着脱可能に接続される第１のレセプタクルコネクタ５１を複数有している。
【００４６】
第１のレセプタクルコネクタ５１に第１の複合ケーブル３０のプラグコネクタが接続されることにより、第１の複合ケーブル３０を介してテレビカメラ２０が中継システム４０に接続されることとなる。第１のレセプタクルコネクタ５１は、３つ設けられている。すなわち、端子盤５０は、３台のテレビカメラ２０が接続可能に形成されている。
【００４７】
端子盤５０は、また、第２のレセプタクルコネクタ５２を有している。第２のレセプタクルコネクタ５２は、第２の複合ケーブル７０、または、第３の複合ケーブル８０が接続可能に形成されている。
【００４８】
複数の第２のレセプタクルコネクタ５２のそれぞれは、複数の第１のレセプタクルコネクタ５１のそれぞれに電気的に接続されている。すなわち、１つの第２のレセプタクルコネクタ５２は、１つの第１のレセプタクルコネクタ５１に電気的に接続されている。第２のレセプタクルコネクタ５２は、当該第２のレセプタクルコネクタ５２に接続された第２の複合ケーブル７０または第３の複合ケーブル８０を、第１のレセプタクルコネクタ５１に接続された第１の複合ケーブル３０に接続可能に形成されている。
【００４９】
［パッチ盤６０の説明］  
パッチ盤６０は、２つの端子盤５０及び中継車９０間を中継可能に形成されている。パッチ盤６０は、第１の複合ケーブル３０が接続可能に形成された第１のレセプタクルコネクタ５１を、６つ有している。
【００５０】
パッチ盤６０は、また、６つの第２のレセプタクルコネクタ５２を有している。複数の第２のレセプタクルコネクタ５２のそれぞれは、複数の第１のレセプタクルコネクタ５１のそれぞれに、電気的に接続されている。すなわち、１つの第２のレセプタクルコネクタ５２は、１つの第１のレセプタクルコネクタ５１に接続されている。
【００５１】
［第２の複合ケーブル７０の説明］  
第２の複合ケーブル７０は、図３に示すように、１本の第２のテンションメンバ７１、４本の第１の電源線（電源線）３２、ケーブル状に形成された１本の制御線ユニット７２、２本の光ファイバ線３４、第２の押さえ巻き部７３、及び、第２のシース（シース）７５を有している。第２の複合ケーブル７０の一方の光ファイバ線３４は、第１の複合ケーブル３０と同様に、テレビカメラ２０側に各種信号を送信し、他方は中継車９０側に各種信号を送信する。
【００５２】
第２のテンションメンバ７１は、第２の複合ケーブル７０に所定の引っ張り強度を与えることが可能に形成されている。第２の複合ケーブル７０は、その敷設時に、すなわち、端子盤５０及びパッチ盤６０に接続する作業時に、引っ張られる。
【００５３】
第２のテンションメンバ７１は、敷設作業時に作用する引っ張りに対して、第２の複合ケーブル７０が断線することを防止可能な強度を有している。第２のテンションメンバ７１は、例えば、金属製の線材から形成されている。第２のテンションメンバ７１の外径は、第１の電源線３２の外径よりも、例えば大きい。なお、第２のテンションメンバ７１は、例えば、第１のテンションメンバ３１と同様に、周囲に配置された線に傷をつけることがないように樹脂材料等から形成された被覆部を有してもよい。
【００５４】
第２の複合ケーブル７０に用いられる第１の電源線３２は、第１の複合ケーブル３０と同様に一対の負極用の第１の電源線３２の両端部は、互いに電気的に接続され、正極用の一対の第１の電源線３２の両端部は、互いに電気的に接続されている。
【００５５】
制御線ユニット７２は、２本の制御線３３、ドレインワイヤ（導線）７４、及び、第２の遮蔽部材７６を有している。ドレインワイヤ７４は、導電性材料から形成されており、その一例として金属材料から形成されている。２本の制御線３３は、互いに撚られている。または、２本の制御線３３及びドレインワイヤ７４は、互いに撚られている。
【００５６】
第２の遮蔽部材７６は、内部に、２本の制御線３３、及び、ドレインワイヤ７４を配置可能な管状に形成されている。第２の遮蔽部材７６は、制御線ユニット７２の外部に存在する電磁波等の外乱が制御線３３に作用することを防止可能に形成されている。
【００５７】
具体的には、第２の遮蔽部材７６は、その内周部が少なくとも導電性を有している。本実施形態では、第２の遮蔽部材７６は、内周部が導電性の材料で形成され、かつ、その外周部が絶縁性の材料で形成されている。第２の遮蔽部材７６は、例えば、導電層７６ａ上に絶縁層７６ｂが積層されて構成されたテープ部材が２本の制御線３３及びドレインワイヤ７４に巻き付けられることにより、形成されている。このテープ部材の一例は、アルミポリエステルテープである。第２の遮蔽部材７６の内周部は、ドレインワイヤ７４に接触しており、互いに電気的に接続されている。すなわち、本実施形態では、ドレインワイヤ７４が、図３及び後述する図５に示すように、第２の遮蔽部材７６の導電層７６ａに接触することにより、ドレインワイヤ７４及び導電層７６ａが互いに電気的に接続されている。
【００５８】
このように構成された制御線ユニット７２の外径は、第１の電源線３２の外径と、同じ、または、略同じに形成されている。
【００５９】
ここで、第２の押さえ巻き部７３の説明の前に、第１の電源線３２、制御線ユニット７２、及び、光ファイバ線３４の配置について説明する。４本の第１の電源線３２、１本の制御線ユニット７２、及び、２本の光ファイバ線３４は、第２のテンションメンバ７１の周囲に配置されており、第２のテンションメンバ７１を中心として撚られている。
【００６０】
また、４本の第１の電源線３２、制御線ユニット７２、及び、２本の光ファイバ線３４は、第２の複合ケーブル７０の断面を円に近づけることが可能となるように第２のテンションメンバ７１の周囲に配置されている。
【００６１】
具体的には、第２のテンションメンバ７１の周囲に配置される各種線のうち外径が最も大きい第１の電源線３２を、正極用に２本、及び、負極用に２本とすることにより合計４本とし、１本の制御線ユニット７２、及び、２本の光ファイバ線３４を、周方向に隣り合う一対の第１の電源線３２間に、１つずつ配置している。
【００６２】
このように、外径が最も大きくなる電源線を４本とすることにより、第２の押さえ巻き部７３は、図３に示す断面においてその内周面が第１の電源線３２に接することにより、少なくとも４点で支持されることとなる。この為、第２の複合ケーブル７０の断面を円に近づけることができる。さらに、第１の電源線３２が第２のテンションメンバ７１を中心として撚られることにより、第２の複合ケーブル７０の断面を、より一層円に近づけることができる。
【００６３】
さらに、制御線ユニット７２の外径及び第１の電源線３２の外径を同じまたは略同じとすることにより、第２の押さえ巻き部７３は、図３に示す断面において、その内周面がさらに制御線ユニット７２に接することとなるので、合計５点で支持されることとなる。この為、第２の複合ケーブル７０の断面形状を、より一層、円に近づけることができる。
【００６４】
第２の押さえ巻き部７３の説明に戻る。第２の押さえ巻き部７３は、例えば、紙から形成されている。第２の押さえ巻き部７３は、上述のように第２のテンションメンバ７１の周囲に撚られた、第１の電源線３２、制御線ユニット７２、及び、光ファイバ線３４の周囲に、帯状のゴム引きテトロンテープ（可動用）が巻き付けられることにより、形成される。
【００６５】
第２のシース７５は、絶縁材料から形成されており、第２の押さえ巻き部７３の外側に被覆されている。
【００６６】
［第２の複合ケーブル７０のプラグコネクタ７７の説明］  
また、第２の複合ケーブル７０は、図４に示すように、その両端部にプラグコネクタ７７及びコネクタ１００が設けられている。具体的には、第２の複合ケーブル７０の各種線のうち、第１の電源線３２及び制御線ユニット７２は、プラグコネクタ７７に接続されている。
【００６７】
第２の複合ケーブル７０の第２のテンションメンバ７１の端部は、端子盤５０の成端箱の筐体、及びパッチ盤６０の成端箱の筐体に固定されている。光ファイバ線３４は、それぞれ、コネクタ１００に接続されている。コネクタ１００は、ＬＣコネクタやＳＣコネクタ等のコネクタである。
【００６８】
プラグコネクタ７７は、端子盤５０の成端箱の第２のレセプタクルコネクタ５２、及び、パッチ盤６０の成端箱の第２のレセプタクルコネクタ５２に接続可能に形成されている。プラグコネクタ７７は、第２のテンションメンバ７１を固定可能に形成されている。
【００６９】
また、プラグコネクタ７７は、第２のレセプタクルコネクタ５２に接続されると、当該プラグコネクタ７７に接続されたドレインワイヤ７４を端子盤５０の成端箱の金属部分に電気的に接続可能に形成されている。同様に、プラグコネクタ７７は、ドレインワイヤ７４をパッチ盤６０の成端箱の金属部分に電気的に接続可能に形成されている。
【００７０】
ここで、端子盤５０の成端箱及びパッチ盤６０の成端箱の、上述された金属部分について説明をする。端子盤５０の成端箱の金属部分、及び、パッチ盤６０の成端箱の金属部分は、それぞれ、電気を外部に逃がすことが可能に形成されている。本実施形態では、これら金属部分は、地面等に接地されている。この為、第２の遮蔽部材７６の内周部を流れる電流は、ドレインワイヤ７４を介して、地面に落とすことができる。
【００７１】
また、第２の複合ケーブル７０が、端子盤５０の成端箱の第２のレセプタクルコネクタ５２、及び、パッチ盤６０の成端箱の第２のレセプタクルコネクタ５２に接続された状態において、すなわち、両プラグコネクタ７７が、第２のレセプタクルコネクタ５２に接続された状態において、これら金属部分に電流を流すなどすることにより、ドレインワイヤ７４が、これら金属部分に接続されているか否かを確認することができる。ドレインワイヤ７４が、端子盤５０の成端箱の金属部分、及び、パッチ盤６０の成端箱の金属部分に接続されているか否かを確認することにより、プラグコネクタ７７が第２のレセプタクルコネクタ５２に正常に接続されているか否か、または、第２の複合ケーブル７０が断線している否かを判断することができる。
【００７２】
具体的には、端子盤５０の成端箱の金属部分及びパッチ盤６０の成端箱の金属部分間に電流が流れない場合は、プラグコネクタ７７が第２のレセプタクルコネクタ５２に正常に接続されていないことによりドレインワイヤ７４が端子盤５０の成端箱の金属部分及びパッチ盤６０の成端箱の金属部分に接続されていないことが想定される。
【００７３】
プラグコネクタ７７が第２のレセプタクルコネクタ５２に正常に接続されている場合では、ドレインワイヤ７４が断線していることが想定される。ドレインワイヤ７４が断線している状態は、第１の電源線３２等の他の線も断線している可能性があると想定される。
【００７４】
コネクタ１００は、端子盤５０の成端箱に設けられた、レセプタクルコネクタ５２とは別のコネクタに接続される。同様に、コネクタ１００は、パッチ盤６０の成端箱に設けられた、レセプタクルコネクタ５２とは別のコネクタに接続される。
【００７５】
［第３の複合ケーブル８０の説明］  
第３の複合ケーブル８０は、図１に示すように、２台のテレビカメラ２０の送受信用に用いられる。すなわち、第３の複合ケーブル８０は、端子盤５０の２つの第２のレセプタクルコネクタ５２、及び、パッチ盤６０の２つの第２のレセプタクルコネクタ５２を接続可能に形成されている。
【００７６】
第３の複合ケーブル８０は、具体的には、図５に示すように、１本の第３のテンションメンバ８１、４本の第２の電源線８２、２本の制御線ユニット７２、４本の光ファイバ線３４、第３の押さえ巻き部８３、及び、第３のシース（シース）８４を有している。
【００７７】
第３のテンションメンバ８１は、第３の複合ケーブル８０に所定の引っ張り強度を与えることが可能に形成されている。第３の複合ケーブル８０は、その敷設時に、すなわち、端子盤５０及びパッチ盤６０に接続する作業時に、引っ張られる。
【００７８】
第３のテンションメンバ８１は、敷設作業時に作用する引っ張りに対して、第３の複合ケーブル８０が断線することを防止可能な強度を有している。第３のテンションメンバ８１は、例えば金属製の線材から形成されている。第３のテンションメンバ８１の外径は、制御線ユニット７２の外径よりも大きい。なお、第３のテンションメンバ８１は、例えば第１のテンションメンバ３１と同様に、周囲に配置された線に傷をつけることがないように樹脂材料等から形成された被覆部を有してもよい。
【００７９】
第２の電源線８２は、電力を送電可能に形成されている。１本の第２の電源線８２は、１台のテレビカメラ２０の正極用の電源線である。１本の第２の電源線８２は、１台のテレビカメラ２０の負極用の電源線である。第３の複合ケーブル８０は上述の通り、２台のテレビカメラ２０に対して用いられる為、第２の電源線８２は、２台分となり合計４本用いられている。
【００８０】
第２の電源線８２は、心線８２ａ、及び、心線８２ａに被覆された管状の被覆部８２ｂを有している。第２の電源線８２は、正極用に１本及び負極用に１本が用いられる為、第１の電源線３２に対して２倍の電流が流れる。この為、第２の電源線８２の心線８２ａの断面積は、第１の電源線３２の心線５２ａの断面積の２倍の面積を有している。第２の電源線８２の外径は、第３のテンションメンバ８１の外径よりも小さい。本実施形態では、第２の電源線８２の外径及び制御線ユニット７２の外径は、同じ、または、略同じに形成されている。
【００８１】
制御線ユニット７２は、上述の通り、１台のテレビカメラ２０に対して１本用いられる。この為、第３の複合ケーブル８０は、２本の制御線ユニット７２を有している。光ファイバ線３４は、上述の通り、１台のテレビカメラ２０に対して２本用いられる。この為、第３の複合ケーブル８０は、４本の光ファイバ線３４を有している。光ファイバ線３４の被覆部３４ｂの外径は、第２の電源線８２の外径及び制御線ユニット７２の外径よりも小さい。
【００８２】
ここで、第３の押さえ巻き部８３の説明の前に、第２の電源線８２、制御線ユニット７２、及び、光ファイバ線３４の配置について説明する。４本の第２の電源線８２、２本の制御線ユニット７２、及び、４本の光ファイバ線３４は、第３のテンションメンバ８１の周囲に配置されており、第３のテンションメンバ８１を中心として撚られている。また、４本の第２の電源線８２、２本の制御線ユニット７２、及び、４本の光ファイバ線３４は、第３の複合ケーブル８０の断面形状を円に近づけることが可能となるように、第３のテンションメンバ８１の周囲に配置されている。
【００８３】
具体的には、第３のテンションメンバ８１の周囲に配置される各種線のうち外径が最も大きい第２の電源線８２を４本とすることにより、第３の押さえ巻き部８３は、図５に示す断面においてその内周面が第２の電源線８２に接することにより少なくとも４点で支持されることとなる。
【００８４】
この為、第３の複合ケーブル８０の断面形状を、円に近づけることができる。さらに、第２の電源線８２が第３のテンションメンバ８１を中心として撚られることにより、第３の複合ケーブル８０の断面形状をより一層円に近づけることができる。
【００８５】
さらに、第３の複合ケーブル８０では、第２の電源線８２と同じまたは略同じ外径を有する制御線ユニット７２を２本有するので、第３の押さえ巻き部８３は、図５に示す断面においてその内周面が制御線ユニット７２に接することにより、合計６点で支持されることとなる。この為、第３の複合ケーブル８０の断面形状を、より一層円に近づけることができる。
【００８６】
さらに、４本の第２の電源線８２及び２本の制御線ユニット７２を周方向に並べて配置し、これらのうち隣り合う一対間に１つずつ光ファイバ線３４を配置している。このように配置されることにより、第２の電源線８２及び制御線ユニット７２の一部は等間隔離間又は略等間隔離間して配置されることとなるので、第３の複合ケーブル８０の断面形状を、円に近づけることができる。
【００８７】
なお、一対の制御線ユニット７２の間に２つの第２の電源線８２を配置することにより、制御線ユニット７２の外径及び第２の電源線８２の外径が大きく異なる場合であっても、第３の複合ケーブル８０の断面形状を、円に近づけることができる。
【００８８】
第３の押さえ巻き部８３の説明に戻る。第３の押さえ巻き部８３は、例えば、紙から形成されている。第３の押さえ巻き部８３は、上述のように第３のテンションメンバ８１の周囲に撚られた、第２の電源線８２、制御線ユニット７２、及び、光ファイバ線３４の周囲に、帯状のゴム引きテトロンテープ（可動用）が巻き付けられることにより、形成されている。
【００８９】
第３のシース８４は、絶縁材料から形成されており、第３の押さえ巻き部８３の外側に被覆されている。
【００９０】
第３の複合ケーブル８０は、また、図６に示すように、一端部に、４つのコネクタ１００及び２つのプラグコネクタ７７が設けられ、他端部に４つのコネクタ１００及び２つのプラグコネクタ７７が設けられている。第３の複合ケーブル８０が有する各種の線のうち１台のテレビカメラ２０に用いられ各線が、第２の複合ケーブル７０と同様に、それぞれ、１つのプラグコネクタ７７及び２つのコネクタ１００に接続されている。
【００９１】
なお、第３のテンションメンバ８１は、第２のテンションメンバ７１と同様に、端子盤５０の成端箱の筐体、及びパッチ盤６０の成端箱の筐体に固定されている。また、第３の複合ケーブル８０のプラグコネクタ７７においても、ドレインワイヤ７４は第２の複合ケーブル７０と同様に、プラグコネクタ７７を介して、端子盤５０の成端箱の金属部分及びパッチ盤６０の成端箱の金属部分に電気的に接続されている。
【００９２】
［第２の複合ケーブル７０及び第３の複合ケーブル８０の配置の説明］  
このように構成された第２の複合ケーブル７０及び第３の複合ケーブル８０は、固定された端子盤５０及び固定されたパッチ盤６０に接続されている為、テレビカメラ２０の移動に伴い移動及び屈曲することがない。
【００９３】
この為、第２の複合ケーブル７０及び第３の複合ケーブル８０は、地中または壁内に配置されている。または、第２の複合ケーブル７０及び第３の複合ケーブル８０は、人によって踏まれることがない場所に配置されてもよい。
【００９４】
［中継車９０の説明］  
中継車９０は、図１に示すように、第１の複合ケーブル３０によりパッチ盤６０の第１のレセプタクルコネクタ５１に接続されることにより、中継システム４０に接続される。
【００９５】
中継車９０は、中継システム４０に接続されることにより、第１の複合ケーブル３０、パッチ盤６０の第１のレセプタクルコネクタ５１、第２の複合ケーブル７０または第３の複合ケーブル８０、及び、端子盤５０の第１のレセプタクルコネクタ５１、及び、第１の複合ケーブル３０を介して、テレビカメラ２０に接続される。
【００９６】
中継車９０は、第１の複合ケーブル３０及び中継システム４０を介して、テレビカメラ２０に電力を供給し、テレビカメラ２０の動作を制御し、テレビカメラ２０が撮影した映像を受信し、及び、テレビカメラ２０に映像を送信可能に形成されている。
【００９７】
［第２の複合ケーブル７０及び第３の複合ケーブル８０の効果の説明］  
このように、本発明の複合ケーブル及びテレビカメラ用光複合ケーブルの一例として構成された第２の複合ケーブル７０及び第３の複合ケーブル８０では、制御線３３を第２の遮蔽部材７６の内側に配置する構成とすることにより、外周部の近傍に配置されて全ての種類の線を内側に配置する管状の遮蔽部材を有することがない。
【００９８】
この為、第２の複合ケーブル７０及び第３の複合ケーブル８０は、外径を遮蔽部材分小さくできるので、サイズを小さくできる。さらに、第２の遮蔽部材７６は、上述の、全ての種類の線を内側に配置する遮蔽部材に対して、その外径を小さくすることができる。この為、材料を少なくできるので、コストを低減できる。このように、第２の複合ケーブル７０及び第３の複合ケーブル８０は、制御線３３により送信される音声信号にノイズが生じることを防止しつつ、サイズを小さくし、コストを低減できる。
【００９９】
第２の複合ケーブル７０では、第２の遮蔽部材７６の外側に第１の電源線３２が配置されることにより、制御線３３が第１の電源線３２が発する電磁波の影響を受けることを防止できる。この為、第１の電源線３２に起因して制御線３３により送信される音声信号にノイズが生じることを防止できる。
【０１００】
同様に、第３の複合ケーブル８０では、第２の遮蔽部材７６の外側に第２の電源線８２が配置されることにより、制御線３３が第２の電源線８２が発する電磁波の影響を受けることを防止できる。この為、第２の電源線８２に起因して制御線３３により送信される音声信号にノイズが生じることを防止できる。
【０１０１】
第２の複合ケーブル７０は、その外周部に第２のシース７５を有しており、端子盤５０及びパッチ盤６０間の固定配線の用途のように、人に踏まれる虞がない場所及び移動や屈曲することがない場所に配置される用途に対しては、十分な強度を有する。この為、中継システム４０に第２の複合ケーブル７０を用いることにより、中継システム４０のコストを低減できる。
【０１０２】
同様に、第３の複合ケーブル８０は、その外周部に第３のシース８４を有しており、端子盤５０及びパッチ盤６０間の固定配線の用途のように、人に踏まれる虞がない場所及び移動や屈曲することがない場所に配置される用途に対しては、十分な強度を有する。この為、中継システム４０に第３の複合ケーブル８０を用いることにより、中継システム４０のコストを低減できる。
【０１０３】
また、第２の複合ケーブル７０は、電源線として、４本の第１の電源線３２を有することにより、断面形状を円に近づけることができるので、見栄えを向上することができる。
【０１０４】
２台のテレビカメラ２０用に用いられる第３の複合ケーブル８０においても、４本の第２の電源線８２を有することにより、断面形状を同様に円に近づけることができるので、見栄えを向上することができる。
【０１０５】
また、第３の複合ケーブル８０のように、２台のテレビカメラ２０に対する送受信用の各種線を、１本のケーブルにまとめることにより、部品点数を削減することができる。
【０１０６】
また、第２の複合ケーブル７０及び第３の複合ケーブル８０では、第２の遮蔽部材７６の内側にドレインワイヤ７４を配置することにより、第２の遮蔽部材７６を流れる電流を、端子盤５０の金属部分、及び、パッチ盤６０の金属部分を介して、外部に放出することができる。
【０１０７】
また、１台のテレビカメラ２０の送受信用に用いられる第２の複合ケーブル７０、及び、２台のテレビカメラ２０の送受信に用いられる第３の複合ケーブル８０を組み合わせて用いることにより、これら複合ケーブルの本数を少なく抑えつつ、偶数及び奇数の台数のテレビカメラ２０を有する放送システム１０に対応することが可能となる。
【０１０８】
具体的には、複数となる偶数台のテレビカメラ２０を中継する場合は、第３の複合ケーブル８０のみで対応することができる。また、複数となる奇数台のテレビカメラ２０を中継する場合は、１本以上の第３の複合ケーブル８０、及び、１本の第２の複合ケーブル７０で対応することができる。
【０１０９】
また、制御線ユニット７２では、制御線３３が互いに撚られていることにより、制御線３３が送信する音声信号にノイズが生じることを防止できる。また、第２の複合ケーブル７０及び第３の複合ケーブル８０では、それぞれのシースの内側に配置される各種線は、テンションメンバを中心として撚られている。この為、制御線３３により送信される音声信号にノイズが生じることを防止できる。
【０１１０】
［変形例の説明］  
なお、本実施形態では、一例として、制御線ユニット７２では制御線３３が互いに撚られているが、これに限定されない。他の例では、制御線ユニット７２の制御線３３は、互いに撚られていなくてもよい。
【０１１１】
本実施形態では、一例として、第２の複合ケーブル７０及び第３の複合ケーブル８０のそれぞれのシースの内側に配置される各種線は、テンションメンバを中心として撚られているが、これに限定されない。他の例では、それぞれシースの内側に配置される各種線は、テンションメンバを中心として撚られていなくてもよい。
【０１１２】
本実施形態では、複合ケーブルは、その一例として、１台のテレビカメラ２０に用いられる第２の複合ケーブル７０、及び、２台のテレビカメラ２０に用いられる第３の複合ケーブル８０について説明された。しかしながら、複合ケーブルは、テレビカメラ２０の１台分または２台分の各種線を有することのみに限定されない。
【０１１３】
複合ケーブルは、３台以上のテレビカメラ２０に用いられる各種線を有してもよい。他の例としては、例えば、複合ケーブルは、４台のテレビカメラ２０に必要な各種線を有してもよい。この場合、複合ケーブルは、例えば、１本のテンションメンバ、テレビカメラ２０の４台分の電源線、テレビカメラ２０の４台分の制御線ユニット７２、及び、テレビカメラ２０の４台分の光ファイバを有する。
【０１１４】
テレビカメラ２０の４台分の電源線は、１台のテレビカメラ２０に対して例えば正極用及び負極用にそれぞれ１本ずつの合計２本の電源線を用いる場合、８本となる。テレビカメラ２０の４台分の制御線ユニット７２の本数は、４本である。テレビカメラ２０の４台分の光ファイバ線３４の本数は、８本である。
【０１１５】
また、複合ケーブルは、６台のテレビカメラ２０に必要な各種線を有してもよい。この場合、複合ケーブルは、例えば、１本のテンションメンバ、テレビカメラ２０の６台分の電源線、テレビカメラ２０の６台分の制御線ユニット７２、及び、テレビカメラ２０の６台分の光ファイバ線３４を有する。
【０１１６】
テレビカメラ２０の６台分の電源線は、１台のテレビカメラ２０に対して例えば正極用及び負極用にそれぞれ１位本ずつの合計２本の電源線を用いる場合、１２本となる。テレビカメラ２０の６台分の制御線ユニット７２の本数は、６本である。テレビカメラ２０の６台分の光ファイバ線３４の本数は、１２本である。
【０１１７】
このように、複合ケーブルは、テレビカメラ２０等の装置に要する各種線を、この装置の複数台分有してもよい。
【０１１８】
また、本実施形態では、制御線ユニット７２は、制御線３３に加えて、ドレインワイヤ７４を有しているがこれに限定されない。他の例として、制御線ユニット７２は、第２の遮蔽部材７６の導電性を有する内周部により、外部に電流を放出可能に形成されてもよい。この場合では、制御線ユニット７２は、ドレインワイヤ７４を有さなくてもよい。または、ドレインワイヤ７４に代えて、第２の遮蔽部材７６を流れる電流を外部に放出する機能を有さず、プラグコネクタ７７の正常な接続の確認、並びに、第２の複合ケーブル７０の断線及び第３の複合ケーブル８０の断線の確認の機能を有する導線であってもよい。この場合、この導線は、絶縁性の材料で被覆されていてもよい。
【０１１９】
しかしながら、本実施形態のようにドレインワイヤ７４が用いられることにより、第２の遮蔽部材７６に流れる電流の外部への放出、プラグコネクタ７７の正常な接続の確認、並びに、第２の複合ケーブル７０の断線及び第３の複合ケーブル８０の断線の確認をすることができるので、ドレインワイヤ７４を有することが好ましい。
【０１２０】
さらに、ドレインワイヤ７４を、第２の遮蔽部材７６の内側に配置することにより、第２の遮蔽部材７６がドレインワイヤ７４の被覆部として機能することとなる。この為、ドレインワイヤ７４に被覆部を設けることがないので、第２の複合ケーブル７０及び第３の複合ケーブル８０を軽量化できる。さらに、コストも低減できる。
【０１２１】
また、本実施形態では、制御線ユニット７２の第２の遮蔽部材７６は、その内周部が導電性を有し、外周部が絶縁性を有しているがこれに限定されない。他の例では、第２の遮蔽部材７６は、全体が導電性を有してもよい。
【０１２２】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【０１２３】
１０…放送システム、３２…第１の電源線（電源線）、３３…制御線、３４…光ファイバ線、７０…第２の複合ケーブル（複合ケーブル、テレビカメラ用光複合ケーブル）、７２…制御線ユニット、７４…ドレインワイヤ（導線）、７５…第２のシース（シース）、７６…第２の遮蔽部材（遮蔽部材）、８０…第３の複合ケーブル（複合ケーブル、テレビカメラ用光複合ケーブル）、８２…第２の電源線（電源線）、８４…第３のシース（シース）。
【図１】
2018063751.tif 000003
【図２】
2018063751.tif 000004
【図３】
2018063751.tif 000005
【図４】
2018063751.tif 000006
【図５】
2018063751.tif 000007
【図６】
2018063751.tif 000008